(57)【要約】【課題】大幅なコストアップを招くことなく、Ｘ軸方向中間部での左右のラスターのピンクッション歪みを抑制する。【解決手段】Ｘ＝Ｌｍの地点を通りＹＺ面と平行な面とパネル１の有効領域１ａの内面とが交差して形成される曲線をＣｍ、曲線ＣｍとＸＺ面とが交差する点をＰｍ0、曲線Ｃｍと有効領域１ａの長辺１Ｌとが交差する点をＰｍL、点Ｐｍ0と点ＰｍLとのＺ軸方向に沿った距離をΔＺｍ、Ｘ軸端Ｐｘと対角軸端ＰｄとのＺ軸方向に沿った距離をΔＺｌとしたとき、有効領域１ａの内面は曲面形状を有し、−Ｌｈ／２≦Ｌｍ≦Ｌｈ／２の範囲内において、ΔＺｍ／ΔＺｌ≧１．９、且つ、０．１≧ΔＺｍ／Ｌｖ≧０．０６７を満足する。【選択図】  図２
2007173168.tif 000002
【特許請求の範囲】
【請求項１】
実質的に矩形状の有効領域を有するパネルを備え、前記有効領域の外面がほぼ平面状であり、前記有効領域の内面に蛍光体スクリーンが形成されたカラー受像管であって、
管軸をＺ軸、前記有効領域の長辺方向と平行でＺ軸と直交する軸をＸ軸、前記有効領域の短辺方向と平行でＺ軸と直交する軸をＹ軸、Ｘ軸と前記有効領域の周縁とが交差する前記有効領域の内面上の点をＸ軸端、前記有効領域の長辺と短辺とが交差する前記有効領域の内面上の点を対角軸端、Ｘ軸上においてＺ軸が交差する点をＸ＝０、前記有効領域の長辺のＸ軸方向に沿った長さの半分の長さをＬｈ、前記有効領域の短辺のＹ軸方向に沿った長さの半分の長さをＬｖとし、
Ｘ＝Ｌｍの地点を通りＹ軸及びＺ軸を含む面と平行な面と前記有効領域の内面とが交差して形成される曲線をＣｍ、前記曲線ＣｍとＸ軸及びＺ軸を含む面とが交差する点をＰｍ0、前記曲線Ｃｍと前記有効領域の内面上の長辺とが交差する点をＰｍL、前記点Ｐｍ0と前記点ＰｍLとのＺ軸方向に沿った距離をΔＺｍとし、
前記Ｘ軸端と前記対角軸端とのＺ軸方向に沿った距離をΔＺｌとしたとき、
前記有効領域の内面は曲面形状を有し、
−Ｌｈ／２≦Ｌｍ≦Ｌｈ／２の範囲内において、下記の式１及び式２を満足することを特徴とするカラー受像管。
式１：    ΔＺｍ／ΔＺｌ≧１．９
式２：    ０．１≧ΔＺｍ／Ｌｖ≧０．０６７
【請求項２】
更に、下記の式３を満足する請求項１に記載のカラー受像管。
式３：    ０．０５３≧ΔＺｌ／Ｌｖ≧０．０３２
【発明の詳細な説明】
【技術分野】
【０００１】
本発明は、パネルの外面がほぼ平面状のカラー受像管に関する。特にラスター歪み特性が向上されたカラー受像管に関する。
【背景技術】
【０００２】
一般にカラー受像管は、ガラス製パネルと漏斗状のガラス製ファンネルとからなる真空外囲器を有する。ファンネルのネック内に配置された電子銃から放出された３電子ビームは、ファンネルの外側に装着された偏向ヨークが発生する磁界により偏向され、シャドウマスクを通過して、パネルの有効領域の内面に形成された３色蛍光体層からなる蛍光スクリーンを水平方向及び垂直方向に走査することにより、カラー画像が表示される。
【０００３】
このようなカラー受像管のパネルでは、一般に実質的に矩形状の有効領域の周囲に、ファンネルと接合される側壁が設けられている。真空外囲器に加わる大気圧荷重に耐えられる強度を得るべく、有効領域の肉厚は、その中央部で薄く、周辺部で厚い。その結果、有効領域の内外面は異なる曲面で形成されている。
【０００４】
パネルの有効領域の外面形状は、近年、視認性向上のため、平面化される傾向にある。一方、パネルの有効領域の内面形状は、種々あるものの、外面がほぼ平面の場合でも大気圧に対する強度を得るために曲面に形成されている。一般には、球面を基本としてパネルの有効領域の内面に近似した形状をとるシャドウマスクの強度を保つため、パネルの有効領域の周辺部での曲率半径は小さくされることが多い。このとき、有効領域の内面の曲面形状を簡単化するため、略矩形状の有効領域の長辺近傍及び短辺近傍がほぼ単一の曲率半径にされる場合もある。
【０００５】
電子銃から出射した電子ビームのうちの約７０％はシャドウマスクに衝突するので、シャドウマスクは加熱され熱膨張する（これを「ドーミング」という）。このため、シャドウマスクに形成された電子ビーム通過孔とパネルの有効領域に形成された３色蛍光体層との相対的位置が変化し、画面の色純度が劣化する。従って、シャドウマスクは、この熱膨張が生じにくい形状とされることが多い。一般に、有効領域内においてシャドウマスクとの間隔をほぼ一定にするために、パネルの有効領域の内面もシャドウマスクと同様の曲面形状にされる。従って、シャドウマスクの熱膨張による色純度の劣化が最も大きい水平軸（有効領域の長辺方向と平行で、管軸（Ｚ軸）と直交する軸、以下「Ｘ軸」という）上の、有効領域の中央（管軸が通過する点）とＸ軸端（Ｘ軸と有効領域の周縁とが交差する有効領域の内面上の点）とのほぼ中間領域（以下、「Ｘ軸方向中間部」という）での垂直軸（有効領域の短辺方向と平行で、管軸と直交する軸、以下「Ｙ軸」という）と平行な方向における曲率半径が小さくされる。
【０００６】
上記のように、パネルの有効領域の外面がほぼ平面であるカラー受像管において、有効領域の内面はシャドウマスクの強度や熱膨張を考慮した曲面に形成されている。また、有効領域の外面がほぼ平面化されたパネルでは、従来の有効領域の外面が球面であるパネルに比べて、有効領域の内面は、曲面形状を維持しつつも、その曲率半径は大きくなっている。
【０００７】
一方、図３に示すように、電子ビームがパネル内面の有効領域１ａをＸ軸方向及びＹ軸方向に走査するとき、有効領域１ａのＸ軸端Ｐｘ、Ｙ軸端（Ｙ軸と有効領域１ａの周縁とが交差する有効領域１ａの内面上の点）Ｐｙに比べて対角部端Ｐｄ（有効領域１ａの長辺と短辺とが交差する有効領域１ａの内面上の点）は、電子ビームの偏向中心Ｏから遠く離れている。従って、表示画面上に、Ｙ軸を挟む左右のラスター及びＸ軸を挟む上下のラスターがいずれも本来直線であるべきところがピンクッション形状に歪んだピンクッション歪み３１，３２が発生する。
【０００８】
通常、上下のラスターのピンクッション歪み３２は偏向ヨークの磁界を調整することにより補正され、左右のラスターのピンクッション歪み３１は偏向ヨークの磁界やＴＶセットの偏向回路に補正用回路を追加することにより補正される。
【０００９】
しかし、有効領域の外面が平面になった場合、その内面の曲率半径も大きくなり、ピンクッション歪み３１，３２の歪み量も増大する。特に、偏向角が大きくなった場合は顕著である。
【００１０】
歪み量が大きなピンクッション歪み３１，３２を上記の方法で補正した場合、有効領域１ａの周辺で歪み量を低減できても、中央と周辺部との中間領域では歪み量が十分に低減できないという問題がある。
【００１１】
特に、左右のラスターのピンクッション歪み３１をＴＶセットの偏向回路に補正用回路を追加することにより補正した場合、図４に示すように、短辺近傍のラスター３３ａ，３３ｂはほぼ直線状に補正できるが、Ｘ軸方向中間部のラスター３４ａ，３４ｂのピンクッション歪みは補正できない。このラスター３４ａ，３４ｂのピンクッション歪みは、ＴＶセットの偏向回路に補正用回路を更に追加することにより補正することは可能であるが（例えば特許文献１参照）、回路が複雑になり、大幅なコストアップを招く。
【特許文献１】特開平５−８３５８５号公報
【発明の開示】
【発明が解決しようとする課題】
【００１２】
本発明は、従来の上記問題を鑑みてなされたものであり、大幅なコストアップを招くことなく、Ｘ軸方向中間部での左右のラスターのピンクッション歪みが抑制されたカラー受像管を提供することを目的とする。
【課題を解決するための手段】
【００１３】
本発明のカラー受像管は、実質的に矩形状の有効領域を有するパネルを備える。前記有効領域の外面がほぼ平面状であり、前記有効領域の内面に蛍光体スクリーンが形成されている。
【００１４】
管軸をＺ軸、前記有効領域の長辺方向と平行でＺ軸と直交する軸をＸ軸、前記有効領域の短辺方向と平行でＺ軸と直交する軸をＹ軸、Ｘ軸と前記有効領域の周縁とが交差する前記有効領域の内面上の点をＸ軸端、前記有効領域の長辺と短辺とが交差する前記有効領域の内面上の点を対角軸端、Ｘ軸上においてＺ軸が交差する点をＸ＝０、前記有効領域の長辺のＸ軸方向に沿った長さの半分の長さをＬｈ、前記有効領域の短辺のＹ軸方向に沿った長さの半分の長さをＬｖとし、Ｘ＝Ｌｍの地点を通りＹ軸及びＺ軸を含む面と平行な面と前記有効領域の内面とが交差して形成される曲線をＣｍ、前記曲線ＣｍとＸ軸及びＺ軸を含む面とが交差する点をＰｍ0、前記曲線Ｃｍと前記有効領域の内面上の長辺とが交差する点をＰｍL、前記点Ｐｍ0と前記点ＰｍLとのＺ軸方向に沿った距離をΔＺｍとし、前記Ｘ軸端と前記対角軸端とのＺ軸方向に沿った距離をΔＺｌとしたとき、前記有効領域の内面は曲面形状を有し、−Ｌｈ／２≦Ｌｍ≦Ｌｈ／２の範囲内において、下記の式１及び式２を満足する。
【００１５】
式１：    ΔＺｍ／ΔＺｌ≧１．９
式２：    ０．１≧ΔＺｍ／Ｌｖ≧０．０６７
【発明の効果】
【００１６】
本発明によれば、視認性が良好で、画像歪みを補正するための余分な補正用回路を簡単化できるカラー受像管を提供することができる。
【発明を実施するための最良の形態】
【００１７】
以下、図面を参照して本発明の一実施形態を説明する。
【００１８】
図１は本発明の一実施形態に係るカラー受像管の断面図である。
【００１９】
カラー受像管は、実質的に矩形状の有効領域１ａと、この周囲に連設されたスカート部１ｂとを備えたパネル１と、スカート部１ｂに接合された漏斗状のファンネル２とからなる真空外囲器９を有する。パネル１の有効領域１ａの内面には、黒色非発光物質層とこの黒色非発光物質層が形成されていない領域に設けられた３色蛍光体層とからなる蛍光体スクリーン３が形成されている。蛍光体スクリーン３に対向して、シャドウマスク４が配置されている。シャドウマスク４は矩形枠状のマスクフレーム１１に保持されており、マスクフレーム１１はパネル１のスカート部１ｂの内壁面に取り付けられている。ファンネル２のネック部５内に３電子ビーム６Ｂ，６Ｇ，６Ｒを放出する電子銃７が配設されている。ファンネル２の径大部の内側に、マスクフレーム１１に取付けられた内部磁気シールド１０が配置されている。ファンネル２の外側には偏向ヨーク８が設けられている。電子銃７から放出された３電子ビーム６Ｂ，６Ｇ，６Ｒは偏向ヨーク８が発生する磁界により偏向されて、シャドウマスク４に形成された電子ビーム通過孔を通過して蛍光体スクリーン３を水平方向及び垂直方向に走査して、カラー画像が表示される。
【００２０】
本発明において、有効領域１ａとは、蛍光体スクリーン３が形成されたパネル１の内面上の領域及びこれに対応するパネル１の外面上の領域を意味する。
【００２１】
図２は、パネル１の有効領域１ａの内面の形状を示した斜視図である。以下の説明の便宜のために、カラー受像管の管軸をＺ軸、有効領域１ａの長辺１Ｌ方向と平行でＺ軸と直交する軸をＸ軸、有効領域１ａの短辺１Ｓ方向と平行でＺ軸と直交する軸をＹ軸とするＸＹＺ直交座標系を設定する。Ｘ軸上及びＹ軸上においてＺ軸が交差する点をＸ＝０，Ｙ＝０とする。図２では、図面を簡略化するために１／４象限のみを示している。有効領域１ａの内面の形状は、ＸＺ面（Ｘ軸及びＺ軸を含む面）及びＹＺ面（Ｙ軸及びＺ軸を含む面）に対してそれぞれ対称である。
【００２２】
また、Ｘ軸と有効領域１ａの周縁（又は短辺１Ｓ）とが交差する有効領域１ａの内面上の点をＸ軸端Ｐｘ、Ｙ軸と有効領域１ａの周縁（又は長辺１Ｌ）とが交差する有効領域１ａの内面上の点をＹ軸端Ｐｙ、長辺１Ｌと短辺１Ｓとが交差する有効領域１ａの内面上の点を対角軸端Ｐｄ、Ｚ軸が交差する有効領域１ａの内面上の点を中央Ｐｃとする。４つの対角軸端Ｐｄのうち、中央Ｐｃを挟んで互いに対向する２つの対角軸端Ｐｄを結ぶ方向と平行で、且つ、Ｚ軸と直交する軸を対角軸（図示せず）とする。
【００２３】
パネル１の有効部１ａの外面は視認性を向上させるために、曲率半径が１０，０００ｍｍ以上のほぼ平面状である。従って、外囲器９の大気圧に対する強度及び視認性の観点から、有効領域１ａの内面の曲率半径も大きくする必要がある。これに伴い、図３に示したように、偏向ヨーク８の偏向中心Ｏから有効領域１ａのＸ軸端Ｐｘ及び対角軸端Ｐｄまでの距離差、及び、偏向ヨーク８の偏向中心Ｏから有効領域１ａのＹ軸端Ｐｙ及び対角軸端Ｐｄまでの距離差がいずれも大きくなる。これにより、表示画面上の短辺１Ｓ及び長辺１Ｌの近傍に発生するピンクッション歪み３１，３２の歪み量が増大する。これを、偏向ヨークの磁界又はＴＶセットの偏向回路に補正用回路を追加することにより補正しようとしても、図４に示したように、Ｘ軸方向中間部の左右のラスターのピンクッション歪み３４ａ，３４ｂは残存してしまう。
【００２４】
本発明はこのような問題を解決する。その一実施例を画面対角サイズが６８ｃｍ、アスペクト比４：３、偏向角が１２０°、パネル１の有効領域１ａの外面の対角軸方向の曲率半径が２５，０００ｍｍのカラー受像管（以下、「実施例」という）の場合で説明する。
【００２５】
本実施例のパネル１の有効領域１ａの内面は、パネル１の強度を確保する観点から、対角軸方向の平均曲率半径が３，２００ｍｍの曲面形状とした。ここで、「対角軸方向の平均曲率半径」とは、有効領域１ａの内面上の中央Ｐｃとこれを挟む一対の対角軸端Ｐｄとにより定義される円弧の半径を意味する。この有効領域１ａの内面（図２参照）において、中央Ｐｃに対するＹ軸端Ｐｙ、Ｘ軸端Ｐｘ、対角軸端ＰｄのＺ軸方向に沿った距離は、順に１５．１５ｍｍ、１０．６１ｍｍ、１８ｍｍであった。
【００２６】
図２に示したように、有効領域１ａの長辺１ＬのＸ軸方向に沿った長さの半分の長さ（即ち、対角軸端ＰｄのＹ軸からの距離）をＬｈ、有効領域１ａの短辺１ＳのＹ軸方向に沿った長さの半分の長さ（即ち、対角軸端ＰｄのＸ軸からの距離）をＬｖとする。また、ＸＺ面と有効領域１ａの内面とが交差して形成される曲線をＣｘ、ＹＺ面と有効領域１ａの内面とが交差して形成される曲線をＣｙ、Ｘ＝Ｌｍの地点を通りＹＺ面と平行な面と有効領域１ａの内面とが交差して形成される曲線をＣｍとする。曲線ＣｍとＸＺ面（又は曲線Ｃｘ）とが交差する点をＰｍ0、曲線Ｃｍと有効領域１ａの内面上の長辺１Ｌとが交差する点をＰｍLとする。更に、点Ｐｍ0と点ＰｍLとのＺ軸方向に沿った距離をΔＺｍ、Ｘ軸端Ｐｘと対角軸端ＰｄとのＺ軸方向に沿った距離をΔＺｌとする。
【００２７】
本発明のカラー受像管は、−Ｌｈ／２≦Ｌｍ≦Ｌｈ／２の範囲内において、下記の式１及び式２を満足する。
【００２８】
式１：    ΔＺｍ／ΔＺｌ≧１．９
式２：    ０．１≧ΔＺｍ／Ｌｖ≧０．０６７
更に、下記の式３を満足することが好ましい。
【００２９】
式３：    ０．０５３≧ΔＺｌ／Ｌｖ≧０．０３２
実施例では、−Ｌｈ／２≦Ｌｍ≦Ｌｈ／２の範囲内におけるΔＺｍの最小値ΔＺｍMIN及び最大値ΔＺｍMAXは、ΔＺｍMIN＝１４．８ｍｍ、ΔＺｍMAX＝１５．１５ｍｍであった。また、ΔＺｌ＝７．３９ｍｍ、Ｌｖ＝２０３．４ｍｍであった。
【００３０】
従って、
２．０５＞ΔＺｍ／ΔＺｌ＞２
０．０７４＞ΔＺｍ／Ｌｖ＞０．０７３
ΔＺｌ／Ｌｖ＝０．０３６
であり、上記の式１、式２、式３を満足していた。
【００３１】
有効領域１ａの内面の対角軸方向の平均曲率半径を３，２００ｍｍで一定としたまま、この内面の形状を、球面から、ΔＺｍ／ΔＺｌを変化させることにより３通りの非球面形状に変化させた。それぞれの場合において、表示画面上での左右のラスターの歪み量を求めた。結果を表１に示す。表１において、「Ｘ軸周辺」はＸ軸方向周辺部に相当するＸ＝０．９×Ｌｈの地点近傍での左右のラスターの歪み量を示し、「Ｘ軸中間」はＸ軸方向中間部に相当するＸ＝０．５５×Ｌｈ近傍での左右のラスターの歪み量を示す。また、これらの差も併せて示した。いずれも、有効領域１ａの内面が球面である場合のピンクッション歪み量を基準とした相対値（％）で表示しており、符号が負であることは、ラスターの歪みが、基準のピンクッション歪みに対してピンクッション歪みが小さくなる（ピンクッション歪み量が減少する）ように変化したことを意味し、符号が正であることは、ラスターの歪みが、基準のピンクッション歪みに対してピンクッション歪みが大きくなる（ピンクッション歪み量が増加する）ように変化したことを意味する。
【００３２】
【表１】
2007173168.tif 000003
【００３３】
表１より、ΔＺｍMIN／ΔＺｌ＝２、ΔＺｍMIN／Ｌｖ＝０．０７３である曲面１の場合は、球面の場合に比べて、Ｘ軸方向中間部において２．９６％だけピンクッション歪みが緩和され、Ｘ軸方向周辺部において１．２１％だけピンクッション歪みが緩和され、画面全体でピンクッション歪みが緩和されるように変化することで左右のラスター歪みが補正された。更に、曲面１では、Ｘ軸方向中間部でのピンクッション歪みは、Ｘ軸方向周辺部でのピンクッション歪みに比べて１．７５％だけ緩和量が大きい。即ち、Ｘ軸方向中間部での残存ピンクッション歪み量は相対的に小さい。従って、Ｘ軸方向周辺部でのピンクッション歪みを補正用回路によって補正した場合、Ｘ軸方向中間部でのピンクッション歪みも同時に補正することができ、Ｘ軸方向中間部でのピンクッション歪みをほぼ解消できる。よって、Ｘ軸方向中間部でのピンクッション歪みを補正するための特別な補正回路が不要である。
【００３４】
表１に示すように、有効領域１ａの内面形状が球面である場合にはΔＺｍMIN／ΔＺｌ＝１であり、ΔＺｍMIN／ΔＺｌがこれより大きくなるにしたがって、Ｘ軸方向中間部でのピンクッション歪みに比べてＸ軸方向周辺部でのピンクッション歪みの方が、歪み量が相対的により大きくなる。偏向角が小さいカラー受像管以外では、左右のラスターのピンクッション歪みは、通常、ＴＶセットの偏向回路に補正用回路を追加することで補正される。この補正では、Ｘ軸方向中間部でのピンクッション歪みに対しては補正不足となりがちである。従って、Ｘ軸方向周辺部でのピンクッション歪みを補正しても、Ｘ軸方向中間部でのピンクッション歪みは残存し、画像品位が低下する。このＸ軸方向中間部に残存したピンクッション歪みを補正するためには更に補正用回路を追加する必要がある。これに対して、上記曲面１のように、Ｘ軸方向周辺部でのピンクッション歪み量がＸ軸方向中間部でのピンクッション歪み量よりも大きい場合には、Ｘ軸方向周辺部でのピンクッション歪みを補正すれば、Ｘ軸方向中間部でのピンクッション歪みも十分に補正することができるので、更なる補正用回路を追加することなく、画像品位の低下を防止できる。
【００３５】
通常、Ｘ軸方向周辺部でのピンクッション歪みを補正用回路により補正した場合、Ｘ軸方向中間部には１．５〜２％程度のピンクッション歪みが残存してしまう。従って、Ｘ軸方向周辺部でのピンクッション歪み量がＸ軸方向中間部でのピンクッション歪み量に比べて１．５％以上大きければ、Ｘ軸方向周辺部でのピンクッション歪みを補正するための回路とは別に、Ｘ軸方向中間部でのピンクッション歪みを補正するための回路を更に設ける必要がない。このため、ΔＺｍMIN／ΔＺｌ≧１．９を満足することが必要である。
【００３６】
一方、ΔＺｍ／Ｌｖが大きいほど、Ｘ軸方向中間部でのピンクッション歪み量が小さくなるので、回路による補正量を小さくすることができる。通常、有効領域１ａの外面がほぼ平面であるカラー受像管で補正用回路を設けない場合には、Ｘ軸方向中間部で１０％近くのピンクッション歪みが発生する。これをすべてパネル形状を変更することで補正できれば良いが、実際にはパネルの肉厚を考慮するとΔＺｍ／Ｌｖの最大値は０．１程度となる。即ち、ΔＺｍ／Ｌｖ＝０．１のとき、ＹＺ面に平行な断面において、有効領域１ａの長辺１Ｌ付近とＸ軸付近とでの肉厚差は６８ｃｍ管の場合２０ｍｍ程度となり、パネルの曲面を安定して精度よく製造する観点からはこれが限界である。
【００３７】
一方、通常、ピンクッション歪みの補正量が大きくなるほど、ピンクッション歪みを補正する回路に対する負担は増加する。有効領域１ａの外面がほぼ平面であるカラー受像管では、Ｘ軸方向中間部でのピンクッション歪み量は１０％近くであるが、このうち概略２．５％以上をパネル形状を変更することで補正できれば、補正用回路に対する負担は軽減できる。このためには、表１より、ΔＺｍMIN／Ｌｖ≧０．０６７である必要がある。
【００３８】
ΔＺｌ／Ｌｖは、表１に示した曲面１〜３では０．０３６で一定としたが、対角軸端ＰｄのＺ軸方向に沿った距離が１８ｍｍと同一の球面では０．０３２となる。このΔＺｌ／Ｌｖは、
式３：    ０．０５３≧ΔＺｌ／Ｌｖ≧０．０３２
を満たすことが好ましい。ΔＺｌ／Ｌｖが式３の下限値未満であると、Ｘ軸方向周辺部でのピンクッション歪み量が、有効領域１ａの内面が球面である場合に比べて増加する。式３においてΔＺｌ／Ｌｖの上限値は、式１を変形して得たΔＺｍ≧１．９×ΔＺｌを式２の０．１≧ΔＺｍ／Ｌｖに代入してΔＺｍを消去することで求められる。
【００３９】
有効領域１ａの内面の曲面形状が表１に示したそれぞれの場合において、表示画面上での上下のラスターの歪み量を求めた。結果を表２に示す。表２において、「Ｙ軸周辺」はＹ軸方向周辺部に相当するＹ＝０．９×Ｌｖの地点近傍での上下のラスターの歪み量を示し、「Ｙ軸中間」はＹ軸方向中間部に相当するＹ＝０．５５×Ｌｖ近傍での上下のラスターの歪み量を示す。また、これらの差も併せて示した。いずれも、有効領域１ａの内面が球面である場合のピンクッション歪み量を基準とした相対値（％）で表示しており、符号が負であることは、ラスターの歪みが、基準のピンクッション歪みに対してピンクッション歪みが小さくなる（ピンクッション歪み量が減少する）ように変化したことを意味し、符号が正であることは、ラスターの歪みが、基準のピンクッション歪みに対してピンクッション歪みが大きくなる（ピンクッション歪み量が増加する）ように変化したことを意味する。
【００４０】
【表２】
2007173168.tif 000004
【００４１】
表２より、左右のラスターのみならず、上下のラスターについても、ΔＺｍMIN／ΔＺｌが１（有効領域１ａの内面形状が球面である場合）から大きくなるにしたがって、Ｙ軸方向中間部でのピンクッション歪みに比べてＹ軸方向周辺部でのピンクッション歪みの方が、歪み量が相対的により大きくなる。上下のラスターのピンクッション歪みは、通常、偏向ヨークの磁界を調整することにより補正される。Ｙ軸方向周辺部でのピンクッション歪み量がＹ軸方向中間部でのピンクッション歪み量よりも大きい場合には、上記の方法によって上下のラスターのピンクッション歪みを補正すれば、Ｙ軸方向中間部にピンクッション歪みが残存しにくくなる。従って、偏向ヨークの磁界設計が容易になる。
【００４２】
特に、式１及び式２を満足する曲面１，２では、Ｙ軸方向周辺部とＹ軸方向中間部との差（Ｃ−Ｄ）が０．７５％以上となる。従来のカラー受像管では、一般に、Ｙ軸方向中間部でのピンクッション歪み量はＹ軸方向周辺部でのピンクッション歪み量よりも１％近く大きくなる場合が多く、これが画像品位の低下の原因となっていた。本発明によれば、これとは逆に、Ｙ軸方向中間部でのピンクッション歪み量はＹ軸方向周辺部でのピンクッション歪み量よりも０．７５％以上小さいので、偏向ヨークの磁界を調整することにより良好な画像を表示できる。
【００４３】
尚、ラスター歪みと、ΔＺｍ／ΔＺｌ及びΔＺｍ／Ｌｖとの関係は、パネルの有効領域１ａの内面の形状や偏向角等により若干変化するが、有効領域１ａの内面形状を球面と大幅に異なる本発明の式１及び式２を満足する形状にすれば、ＴＶセットの歪み補正用回路を軽減でき、良好な歪み特性を有するカラー受像管を実現できる。
【００４４】
さらに、パネルの有効領域１ａの内面が本発明の式１及び式２を満足する形状であることは、ドーミングの改善に対しても有効である。理由は以下の通りである。通常、シャドウマスクの曲面形状はパネルの有効領域１ａの内面形状と類似した形状とされる。色純度の劣化に影響するドーミングによるシャドウマスクのＸ軸方向の変位量は、Ｘ軸方向中間部とＸ軸方向周辺部との中間領域で最も大きい。一方、Ｘ軸方向において、Ｘ軸方向の画素ピッチは、通常、中央で最も小さく周辺にいくにしたがって大きくなるように、２次関数或いはそれ以上の高次関数的に変化している。このため、電子ビームの蛍光体スクリーンへのランディング位置のドーミングによる変化に対する余裕度は、中央に近いほど小さい。シャドウマスクの変位量と電子ビームのランディング位置の余裕度とを考えると、ドーミングによって最も色純度が劣化しやすいのはＸ軸方向中間部付近であることが多い。これに対して、本発明では、パネルの有効領域１ａの内面は、Ｙ軸とＸ軸方向中間部までの範囲内において、ＹＺ面と平行な断面での曲線Ｃｘと長辺１ＬとのＺ軸方向に沿った距離ΔＺｍ（図２参照）が大きくなるような形状を有している。ドーミングを改善するためには、この曲線Ｃｘ及び長辺１Ｌにそれぞれ対応するシャドウマスク上の２曲線のＺ軸方向に沿った距離を大きくすることが有効である。従って、本発明は、ドーミングの改善に対しても有効である。
【産業上の利用可能性】
【００４５】
本発明によれば、パネルの有効領域の外面がほぼ平面であるので視認性に優れ、また、ラスター歪みを補正するための回路を簡略化できるので、安価でありながら高品位画像を表示できる。従って、本発明の利用分野は特に制限はないが、例えばテレビジョン受像機やコンピュータディスプレイ用のカラー受像管として広範囲に利用することができる。
【図面の簡単な説明】
【００４６】
【図１】本発明の一実施形態に係るカラー受像管の概略構成を示した断面図
【図２】本発明の一実施形態に係るカラー受像管において、パネルの有効領域の１／４象限における内面形状を示した斜視図
【図３】ラスター歪みを示す図
【図４】左右のラスターのピンクッション歪みの補正後の状態を示した図
【符号の説明】
【００４７】
１  パネル
１ａ  パネルの有効領域
１ｂ  パネルのスカート部
１Ｌ  有効領域の長辺
１Ｓ  有効領域の短辺
２  ファンネル
３  蛍光体スクリーン
４  シャドウマスク
５  ネック部
６Ｂ，６Ｇ，６Ｒ  電子ビーム
７  電子銃
８  偏向ヨーク
９  外囲器
１０  内部磁気シールド
１１  マスクフレーム
３１，３２  ピンクッション歪み
３３ａ，３３ｂ  Ｘ軸方向周辺部でのラスター
３４ａ，３４ｂ  Ｘ軸方向中間部でのラスター
【図１】
2007173168.tif 000005
【図２】
2007173168.tif 000006
【図３】
2007173168.tif 000007
【図４】
2007173168.tif 000008